(57)【特許請求の範囲】
【請求項１】
上部及び下部と、
該下部に設けられ、乳幼児の下肢を包被するように構成されたポケットと、
該乳幼児をくるむように構成された第１の側部と、
前記乳幼児及び該第１の側部をくるむように構成された第２の側部と、
該第２の側部に設けられ、前記第１の側部の上に前記第２の側部を固定するように構成された第１の留め具とを含むおくるみブランケットと、
前記ブランケットの外周から離れて配置され、前記第１及び第２の側部の下で、乳幼児を包み込むように構成された第１及び第２の内部ストラップと、
前記おくるみブランケットに固定され、前記おくるみブランケットから離れて延出するように構成された少なくとも１つの取り付けストラップと、
寝床面に固定するように構成されたマットレス取り付け具とを含み、
前記第１及び第２の内部ストラップを互いに係着させるために、前記第１の内部ストラップは第１の内部留め具を含み、前記第２の内部ストラップは前記第１の内部留め具と嵌合するように構成された第２の内部留め具を含み、これにより、前記第１及び第２の内部ストラップが前記乳幼児を包み込み、
前記少なくとも１つの取り付けストラップは第２の留め具を含み、
前記マットレス取り付け具は該第２の留め具に固定可能な少なくとも１つの第３の留め具を含むことを特徴とする、マットレス取り付け具及びおくるみブランケット複合体。
【請求項２】
前記おくるみブランケットは、前記上部に頭支えを含むことを特徴とする、請求項１に記載のマットレス取り付け具及びおくるみブランケット複合体。
【請求項３】
前記頭支えはドーナツ型であることを特徴とする、請求項２に記載のマットレス取り付け具及びおくるみブランケット複合体。
【請求項４】
前記第１の側部及び前記第２の側部が、それぞれ、翼の形状であり、前記おくるみブランケットの中央部分から延出することを特徴とする、請求項１に記載のマットレス取り付け具及びおくるみブランケット複合体。
【請求項５】
前記マットレス取り付け具は、寝床面に固定するように構成されたマットレス取り付けシーツと、該マットレス取り付けシーツに取り付け可能であり、前記少なくとも１つの第３の留め具を含む中間シーツとを含むことを特徴とする、請求項１に記載のマットレス取り付け具及びおくるみブランケット複合体。
【請求項６】
前記マットレス取り付けシーツは第１及び第２の取り付けストラップを有し、前記第３の留め具は１対の第３の留め具を含み、前記マットレス取り付けシーツの前記第１及び第２の取り付けストラップがそれぞれ１つの第３の留め具を含み、
前記中間シーツは、前記おくるみブランケットに固定された少なくとも１つの取り付けストラップの前記第２の留め具にそれぞれ取り付け可能な第４の留め具を含むことを特徴とする、請求項５に記載のマットレス取り付け具及びおくるみブランケット複合体。
【請求項７】
前記中間シーツの前記第４の留め具は、２つの第４の留め具を含み、
第４の留め具は、それぞれ、１つの第２の留め具に対応し、
前記第２及び第４の留め具は、それぞれ、１枚の面ファスナー材の一部であることを特徴とする、請求項６に記載のマットレス取り付け具及びおくるみブランケット複合体。
【請求項８】
前記マットレス取り付けシーツは、２つの端部を有するフラットシーツであり、
該端部は、それぞれ、少なくとも１つのシーツストラップを含み、該シーツストラップは対向端の各シーツストラップに取り付けられるように構成され、
前記マットレス取り付けシーツの各端部の近傍に実質的に透明な部分を含むことを特徴とする、請求項５に記載のマットレス取り付け具及びおくるみブランケット複合体。
【請求項９】
前記第２の側部に設けられた前記第１の留め具は、前記第２の側部の端から延出するつまみを含むことを特徴とする、請求項１に記載のマットレス取り付け具及びおくるみブランケット複合体。
【請求項１０】
前記ポケットの深さは、調節可能であることを特徴とする、請求項１に記載のマットレス取り付け具及びおくるみブランケット複合体。
【請求項１１】
前記ポケットの下端部は、折り畳まれた位置で前記ポケットの底部を固定するように構成された別の留め具を含むことを特徴とする、請求項１に記載のマットレス取り付け具及びおくるみブランケット複合体。
【請求項１２】
上部及び下部と、
該下部に設けられ、乳幼児の下肢を包被するように構成されたポケットと、
該乳幼児を第１の方向にくるむように構成された第１の側部と、
前記乳幼児及び該第１の側部を第２の方向にくるむように構成された第２の側部と、
該第２の側部に設けられ、前記第２の側部を前記第１の側部の上に固定するように構成された第１の留め具と、
ブランケットの外周から離れて配置され、前記第１及び第２の側部の下で、乳幼児を包み込むように構成された第１及び第２の内部ストラップとを含み、
前記第１及び第２の内部ストラップを互いに係着させるために、前記第１の内部ストラップは第１の内部留め具を含み、前記第２の内部ストラップは前記第１の内部留め具と嵌合するように構成された第２の内部留め具を含み、これにより、前記第１及び第２の内部ストラップが前記乳幼児を包み込むことを特徴とする、マットレス取り付け具に取り付けるためのおくるみブランケット。
【請求項１３】
前記上部に、頭支えをさらに含むことを特徴とする、請求項１２に記載のおくるみブランケット。
【請求項１４】
前記第１の側部及び前記第２の側部は、それぞれ、翼の形状であり、前記おくるみブランケットの中央部分から延出することを特徴とする、請求項１２に記載のおくるみブランケット。
【請求項１５】
前記ポケットの下端部に設けられ、折り畳まれた位置で前記ポケットの底部を固定するように構成された第２の留め具をさらに含むことを特徴とする、請求項１２に記載のおくるみブランケット。
【請求項１６】
背面部に隣接し、パッドを固定するように構成される区画をさらに含むことを特徴とする、請求項１２に記載のおくるみブランケット。
【請求項１７】
前記パッドをさらに含み、該パッドが涙滴型であることを特徴とする、請求項１６に記載のおくるみブランケット。
【請求項１８】
前記ポケットの深さが、調節可能であることを特徴とする、請求項１２に記載のおくるみブランケット。
【請求項１９】
上部及び下部と、
該上部に設けられた頭支えと、
該下部に固定されて、設けられ、乳幼児をおくるみブランケット内に配置するときに、乳幼児の下肢を包被するように構成されたポケットと、
該乳幼児を第１の方向にくるむように構成された第１の側部と、
前記乳幼児及び該第１の側部を第２の方向にくるむように構成された第２の側部と、
前記第１の側部及び第２の側部の下で、乳幼児を包み込むように構成された１対の内部ストラップと、
該第２の側部に設けられ、前記第２の側部を前記第１の側部の上に固定するように構成された留め具と、
前記ポケットの下端部に設けられ、折り畳まれた位置で前記ポケットの底部を固定するように構成されたもう１つの留め具とを含み、
前記１対の内部ストラップは互いにしっかりと係着するように構成されることを特徴とする、おくるみブランケット。
【請求項２０】
頭部部分を有する上部及び下部を含み、乳幼児を受けるように構成された中央部分と、
前記下部に固定されて、設けられ、乳幼児をおくるみブランケット内に配置するときに、乳幼児の下肢を包被するように構成されたポケットと、
前記中央部分から延出し、乳幼児を第１の方向にくるむように構成された第１の側部と、
前記頭部部分と、前記第１の側部との間に設けられた第１の溝と、
前記中央部分から前記第１の側部の反対側に延出し、前記乳幼児及び前記第１の側部を第２の方向にくるむように構成された第２の側部と、
前記頭部部分と前記第２の側部との間に設けられた第２の溝と、
前記ブランケットの外周から離れて配置され、前記第１及び第２の側部の下で、乳幼児を包み込むように構成された第１及び第２の内部ストラップと、
前記第２の側部に設けられ、前記第２の側部を前記第１の側部の上に固定するように構成された留め具とを含み、
前記第１及び第２の内部ストラップを互いに係着させるために、前記第１の内部ストラップは第１の内部留め具を含み、前記第２の内部ストラップは前記第１の内部留め具と嵌合するように構成された第２の内部留め具を含み、これにより、前記第１及び第２の内部ストラップが前記乳幼児を包み込み、
前記第１の溝は乳幼児の一方の腕が通るように構成され、前記第２の溝は乳幼児のもう一方の腕が通るように構成されることを特徴とする、おくるみブランケット。
【請求項２１】
前記頭部部分及び前記第１の側部が重なり合い、前記頭部部分及び前記第２の側部が重なり合うことを特徴とする、請求項２０に記載のおくるみブランケット。
【請求項２２】
前記溝は、それぞれ、該溝を閉じるように機能する１対の留め具を含むことを特徴とする、請求項２１に記載のおくるみブランケット。
【発明の詳細な説明】
【技術分野】
【０００１】
本発明は、乳幼児のベビーベッド又はベッド用のシーツ及びブランケットに関し、より具体的には、乳幼児を寝床面上に固定するためのシーツ及びおくるみブランケット複合体に関する。
【背景技術】
【０００２】
当該技術分野では、種々の乳幼児用ブランケット及び乳幼児用おくるみが存在している。従来、多くのデザインは、就寝中、乳幼児を温かく保つという機能を果たすだけのものであった。今日では、乳幼児の睡眠パターン及び睡眠の安全性について、多くのことが知られている。現在、乳幼児の快適さ及び安全性が、乳幼児を温めることとともに重要視されている。睡眠中に、頻繁に姿勢を変える乳幼児もおり、乳幼児の睡眠環境から窒息の原因となる物をできるだけなくしながら、それと同時に乳幼児が安全な睡眠の体勢を維持することが望ましい。
【０００３】
乳幼児用寝具類のデザインでさらに検討する事項は、見掛けは健康そうである乳幼児が明確な理由もなくベビーベッドの中で息を引き取る乳幼児突然死症候群（ＳＩＤＳ）である。ＳＩＤＳの原因は未だ未解明のままである部分もあるが、腹臥位での睡眠がＳＩＤＳの可能性を高めていると考えられる。よって、睡眠中、乳幼児を仰臥位に維持する装置が望ましい。
【０００４】
特許文献１は、スナップと留め具とでベビーベッドの側面に固定されるベビーベッド用ブランケットを開示している。また、前記ブランケットは、該ブランケットの上縁に沿って、乳幼児を前記ブランケットに固定するための１本のストラップを含む。かかる発明はブランケットをベビーベッドに固定するものであるが、本発明とは異なり、前記ブランケットの下に乳幼児を固定するために１本のストラップのみを用いる。さらに、前記ブランケットは、ベビーベッドのシーツに取り付けられるものではない。
【０００５】
特許文献２及び特許文献３などの他のデザインには、それぞれ、乳幼児の動作を制限するためにベビーベッド用シーツに縫い付けられた体にぴったりと適合する衣服が開示されている。特許文献２には、ベッド用シーツに固定された寝袋ブランケットが示されており、ボタン留め折込部を備えたおむつ固定具と、プルダウンジッパーとにより新生児が前記寝袋に固定される。特許文献３には、上衣が取り付けられる場合がある開口部がそこに画定される中央プリーツを備えたシーツが示されており、該上衣はボタン又はスナップのように見える物によって乳幼児の周囲に固定される。ブランケットは示されていない。乳幼児をかかる衣服型の発明に固定しなくてはならないため、ベッドに寝かせるときに乳幼児が目を覚ます場合があり、これは非常に望ましくない副次的な悪影響である。
【０００６】
特許文献４は、ＳＩＤＳを防止するように構成されたある寝装具を開示している。かかる装置は、ポケットの一端とマットレスとの間に乳幼児を固定するポケット状ブランケット装置である。しかし、かかる寝装具は本発明と同じ方法で乳幼児を固定するものではない。
【０００７】
他の関連する発明のいくつかが、関連文献である特許文献５、特許文献６、特許文献７、特許文献８、特許文献９、特許文献１０、特許文献１１、特許文献１２、特許文献１３、特許文献１４、特許文献１５、特許文献１６、特許文献１７、特許文献１８、特許文献１９、特許文献２０、特許文献２１、特許文献２２、特許文献２３、特許文献２４、特許文献２５、特許文献２６、特許文献２７、特許文献２８、特許文献２９、特許文献３０、特許文献３１、特許文献３２、特許文献３３、特許文献３４、特許文献３５、特許文献３６、特許文献３７、特許文献３８、特許文献３９、特許文献４０、特許文献４１、特許文献４２、特許文献４３、特許文献４４、特許文献４５、特許文献４６、特許文献４７、特許文献４８、特許文献４９、特許文献５０、特許文献５１、特許文献５２、特許文献５３、特許文献５４、特許文献５５、特許文献５６、特許文献５７、特許文献５８、特許文献５９、特許文献６０、特許文献６１、特許文献６２、特許文献６３、特許文献６４、特許文献６５、特許文献６６、特許文献６７、特許文献６８、特許文献６９、特許文献７０、特許文献７１、特許文献７２、特許文献７３、特許文献７４、特許文献７５、特許文献７６、特許文献７７、非特許文献１に示されている。かかる各引用文献は、前記相互参照出願で提出された発明者の関連した１件又は２件以上の案件に関すると考えられる。
【先行技術文献】
【特許文献】
【０００８】
【特許文献１】米国特許第２，６７７，８３４号公報明細書
【特許文献２】米国特許第３，８４５，５１３号公報明細書
【特許文献３】米国特許第４，２０２，０５２号公報明細書
【特許文献４】米国特許第６，３０１，７２９号公報明細書
【特許文献５】米国意匠特許第３５５，０６８号公報明細書
【特許文献６】米国意匠特許第４２９，８９４号公報明細書
【特許文献７】米国意匠特許第８５７，５０７号公報明細書
【特許文献８】米国特許第１，９６４，２７１号公報明細書
【特許文献９】米国特許第２，２７７，７５１号公報明細書
【特許文献１０】米国特許第２，３４２，０６９号公報明細書
【特許文献１１】米国特許第２，４２３，３９２号公報明細書
【特許文献１２】米国特許第２，４８１，７４１号公報明細書
【特許文献１３】米国特許第２，５０３，４２７号公報明細書
【特許文献１４】米国特許第２，５６３，５０１号公報明細書
【特許文献１５】米国特許第２，５９６，５４７号公報明細書
【特許文献１６】米国特許第２，７０２，３８５号公報明細書
【特許文献１７】米国特許第３，０３４，１３２号公報明細書
【特許文献１８】米国特許第３，５２１，３０９号公報明細書
【特許文献１９】米国特許第３，７３９，３９９号公報明細書
【特許文献２０】米国特許第３，８４５，５１３号公報明細書
【特許文献２１】米国特許第３，８４８，２８１号公報明細書
【特許文献２２】米国特許第３，８５４，１５６号公報明細書
【特許文献２３】米国特許第３，９８７，５０５号公報明細書
【特許文献２４】米国特許第４，１９９，８３０号公報明細書
【特許文献２５】米国特許第４，１７２，３００号公報明細書
【特許文献２６】米国特許第４，４４５，２４２号公報明細書
【特許文献２７】米国特許第４，５９７，１２１号公報明細書
【特許文献２８】米国特許第４，６２７，３６３号公報明細書
【特許文献２９】米国特許第４，６８８，２８２号公報明細書
【特許文献３０】米国特許第４，７８３，８６６号公報明細書
【特許文献３１】米国特許第４，８３９，９３４号公報明細書
【特許文献３２】米国特許第４，８５８，２５９号公報明細書
【特許文献３３】米国特許第４，８７８，２５８号公報明細書
【特許文献３４】米国特許第４，８８７，３２６号公報明細書
【特許文献３５】米国特許第４，８９７，８８５号公報明細書
【特許文献３６】米国特許第４，９３７，９０４号公報明細書
【特許文献３７】米国特許第５，０４６，２０４号公報明細書
【特許文献３８】米国特許第５，０８４，９２９号公報明細書
【特許文献３９】米国特許第５，１４８，５６０号公報明細書
【特許文献４０】米国特許第５，１６８，５９０号公報明細書
【特許文献４１】米国特許第５，２４３，７２４号公報明細書
【特許文献４２】米国特許第５，２９７，３０４号公報明細書
【特許文献４３】米国特許第５，３６７，７３１号公報明細書
【特許文献４４】米国特許第５，４００，８０３号公報明細書
【特許文献４５】米国特許第５，４３９，００８号公報明細書
【特許文献４６】米国特許第５，４８８，７４６号公報明細書
【特許文献４７】米国特許第５，５５７，８１７号公報明細書
【特許文献４８】米国特許第５，５７２，７５７号公報明細書
【特許文献４９】米国特許第５，７２２，０９４号公報明細書
【特許文献５０】米国特許第５，７２２，０８４号公報明細書
【特許文献５１】米国特許第５，８５２，８２７号公報明細書
【特許文献５２】米国特許第５，９５０，２６１号公報明細書
【特許文献５３】米国特許第５，９９６，１４７号公報明細書
【特許文献５４】米国特許第６，００９，５７６号公報明細書
【特許文献５５】米国特許第６，０５２，８５０号公報明細書
【特許文献５６】米国特許第６，１０５，１６８号公報明細書
【特許文献５７】米国特許第６，２４３，８９６号公報明細書
【特許文献５８】米国特許第６，２６６，８３２号公報明細書
【特許文献５９】米国特許第６，２８６，１６３号公報明細書
【特許文献６０】米国特許第６，３０１，７２９号公報明細書
【特許文献６１】米国特許第６，４１５，４４２号公報明細書
【特許文献６２】米国特許第６，４９９，１６５号公報明細書
【特許文献６３】米国特許第６，６３１，５２８号公報明細書
【特許文献６４】米国特許第６，６６２，３９０号公報明細書
【特許文献６５】米国特許第６，６８１，４２２号公報明細書
【特許文献６６】米国特許第６，８１７，０４８号公報明細書
【特許文献６７】米国特許第６，８４８，１３１号公報明細書
【特許文献６８】米国特許第６，８５７，１４６号公報明細書
【特許文献６９】米国特許第６，８６８，５６６号公報明細書
【特許文献７０】米国特許第７，０４３，７８３号公報明細書
【特許文献７１】米国特許第７，１５０，０５４号公報明細書
【特許文献７２】米国特許第７，１８１，７８９号公報明細書
【特許文献７３】米国特許第７，３３７，４８２号公報明細書
【特許文献７４】米国特許第７，３７０，３７７号公報明細書
【特許文献７５】米国出願公開第２００７／００６１９６８号公報
【特許文献７６】国際公開第ＷＯ９３／１７６０６号公報明細書
【特許文献７７】スイス特許第６５８１７７号公報明細書
【特許文献７８】英国特許第９２７０９４号公報明細書
【非特許文献】
【０００９】
【非特許文献１】Ｓｅｌｆ−Ａｄｈｅｒｉｎｇ  Ｎｙｌｏｎ  Ｔａｐｅｓ，ｔｈｅ  Ｊｏｕｒｎａｌ  ｏｆ  ＡＭＡ，１９５８年１０月１８日
【発明の概要】
【発明が解決しようとする課題】
【００１０】
よって、乳幼児をくるみ、温かく保つ機能を果たし、窒息の原因となる物をできるだけ使用せず、取り扱いが簡便であり、調節可能であり、乳幼児の多少の動作は許容されるが、睡眠中に腹臥位の姿勢に変わることは防ぐ乳幼児用寝具製品を有することが望ましい。
【００１１】
上記の発明及び特許には、単独でも、組み合わせでも、特許請求の範囲に記載された本発明が記載されていないと理解される。
【課題を解決するための手段】
【００１２】
１の実施態様では、本発明は、乳幼児用おくるみブランケットと、おくるみブランケット及びマットレス取り付け具複合体とを提供する。前記おくるみブランケットは、上部と、下部と、該下部に設けられ、乳幼児の下肢を包被するよう構成されたポケットとを含む。前記ブランケットの第１の側部は乳幼児を第１の方向にくるむように構成され、第２の側部は乳幼児及び第１の側部を反対方向にくるむように構成される。留め具が前記ブランケットの前記第２の側部に設けられ、該第２の側部が前記第１の側部の上に固定されるように構成される。少なくとも１個の取り付けストラップが、前記おくるみブランケットに固定される。前記ブランケットが取り付け位置にあるとき、前記取り付けストラップは前記おくるみブランケットから離して延出させる。前記取り付けストラップは、第１の嵌合対留め具（ｍａｔｉｎｇ  ｐａｉｒ  ｆａｓｔｅｎｅｒ）を含む。前記マットレス取り付け具は、寝床面に固定されるように構成される。前記マットレス取り付け具は、前記第１の嵌合対留め具に固定可能な少なくとも１個の第２の嵌合対留め具を含む。
【００１３】
さらに以下の明細書の記載及び図面を参照すると、本発明のかかる特徴が容易に明らかとなるであろう。
【図面の簡単な説明】
【００１４】
【図１】乳幼児がおくるみブランケットに固定された状態の本発明の実施態様によるおくるみブランケット及びマットレス取り付け具の斜視図。
【図２】本発明の実施態様によるおくるみブランケットの平面図。
【図３】ある状態で使用されるおくるみブランケットの平面図。
【図４】別の状態で使用されるおくるみブランケットの平面図。
【図５】さらに別の状態で使用されるおくるみブランケットの平面図。
【図６】別の状態で使用されるおくるみブランケットの平面図。
【図７】ある状態で使用されるおくるみブランケットの底面図。
【図８】別の状態で使用されるおくるみブランケットの底面図。
【図９】別の状態で使用されるおくるみブランケットの平面図。
【図１０】マットレス取り付け具の斜視図。
【図１１】使用時のおくるみブランケット及びマットレス取り付け具の平面図。
【図１２】中間シーツの斜視図。
【図１３】マットレス取り付け具の他の実施態様の斜視図。
【図１４】使用時のおくるみブランケットを備えた図１３のマットレス取り付け具の平面図。
【図１５】使用時の寝袋及び図１３のマットレス取り付け具の平面図。
【図１６】図１５に示される前記寝袋の断面図。
【図１７】乳幼児がおくるみブランケットに固定された状態の本発明の実施態様によるベビーベッド用安全シーツ及びブランケットの斜視図。
【図１８】マットレスの周囲に位置するベビーベッド用安全シーツ及びブランケットの平面図。
【図１９】マットレスの周囲に位置するベビーベッド用安全シーツ及びブランケットの底面図。
【図２０】乳幼児安全シーツ及びブランケットを備えたマットレスの底面斜視図。
【図２１】マットレスの周囲に位置する別の安全シーツ及びブランケットの平面図。
【図２２】本発明の別の実施態様の上面斜視図。
【図２３】本発明のさらに別の実施態様の平面図。
【図２４】使用時の本発明の実施態様の斜視図。
【図２５】本発明の実施態様の上面斜視図。
【図２６】図２５に示される実施態様の底面斜視図。
【図２７】使用時の本発明の実施態様の上面斜視図。
【図２８】本発明の実施態様の底面周囲の斜視図。
【図２９】本発明の実施態様による安全シーツ及びブランケットの平面図。
【図３０】本発明の実施態様による安全シーツ及びブランケットの平面図。
【図３１Ａ】図３０のシーツ及びブランケットの分解斜視図。
【図３１Ｂ】図３０のシーツ部材の分解斜視図。
【図３２】本発明の別の実施態様による安全シーツ及びブランケットの分解斜視図。
【図３３】本発明の別の実施態様による安全シーツ及びブランケットの分解斜視図。
【図３４】本発明の実施態様による図２５と同様の安全シーツ及びブランケットの分解図。
【図３５】本発明の実施態様による安全シーツ及びブランケットの拡大立面斜視図。
【図３６Ａ】図３５の２０−２０線に沿った断面図。
【図３６Ｂ】図３５の２０−２０線に沿った断面図。
【図３６Ｃ】図３５の２０−２０線に沿った断面図。
【図３６Ｄ】図３５の２０−２０線に沿った断面図。
【００１５】
添付される図面を通して、同様の参照文字は、一貫して、対応する特徴部分を意味する。
【発明を実施するための形態】
【００１６】
固定された乳幼児おくるみブランケット170及びマットレス取り付け具222を含む本発明の実施態様が、図１に示される。図１の前記おくるみブランケット170のさらなる図面が、以下に記載されるように図２−９に示される。図２では、前記おくるみブランケット170は、開いて平坦に広げられた状態で、視認可能な前記おくるみブランケットの表面172のみが示されている。前記ブランケット170の上部176には、乳幼児が前記ブランケットに置かれたときに、該乳幼児の頭部を保持するように構成された頭支え180が設けられる。前記頭支え180は、図示されるように、ドーナツ型である場合か、又は三角形、四角形、台形、五角形、六角形、八角形又は等号のような分離された１組の線などの別の形である場合がある。前記ドーナツ型の頭支え180により、前記おくるみブランケット170に乳幼児を正確に載置することが可能となり、前記おくるみブランケット170内での乳幼児の適切な位置決めのための標的が提供される。さらに、前記頭支え180は乳幼児の後頭部にかかる圧力を減少させることにより、乳幼児の後頭部が（斜頭として知られる）扁平となる可能性を減少させる。前記頭支え180は、柔らかく、支持可能な材料で形成される場合がある。例えば、前記頭支え180は、スタッフィングを充填した織物材料か、フォームコアを含む場合がある。前記頭支えで使用される場合がある他の材料の例は、ポリエステル繊維、羽毛、ラテックス（ｌａｙｔｅｘ）、シリコーン及び他の適当な充填材料を含む。
【００１７】
ポケット182は、前記おくるみブランケット170の下部178に設けられる。前記ポケット182は、乳幼児が前記ブランケットにくるまれたときに、該乳幼児の下肢を包被するように構成される。前記ポケット182は、前記おくるみブランケットの本体184を構成する第１の織物材料の表面172に位置する第２の織物材料から形成される場合がある。そして、前記第２の織物材料は、その側端及び下端の周辺が、例えば、縫合するか、熱接着か、粘着剤を用いるかにより、前記第１の織物材料に取り付けられる場合がある。また、前記おくるみブランケット170の前記本体184及び前記ポケット182は単一の織物材料から形成される場合があり、前記ポケット182は該織物材料の延出部分から形成され、前記本体184の表面172に折り重ねられ、取り付けられる。例えば、前記延出部分は下方に延出される場合があり、上方に折り畳まれ、両側部が取り付けられて、前記ポケット182を形成する。また、前記延出部分は前記本体184の一側部に延出され、底部側及びその反対側部が取り付けられ、前記ポケット182が形成される場合がある。図３に示すように前記ポケット182内に乳幼児を入れるために、前記ポケットの内部に入れやすくなるよう、前記ポケット182の上部が折り畳まれる場合がある。前記ポケット182を乳幼児の上に固定しておくために、前記ポケット182の片側又は両側に留め具185が設けられる場合がある。前記留め具185が閉じられると、前記ポケットは乳幼児の上部に直立位置に固定される。例えば、前記留め具185はスナップの場合がある。
【００１８】
図３は、乳幼児の頭部が前記頭支え180に配置され、該乳幼児の下肢が前記ポケット182の内部に配置された状態での前記おくるみブランケット170に載置された乳幼児を示す。図４に示されるように、使用時は、乳幼児がこの位置に載置された後、該乳幼児の体に沿って右及び左の内部ストラップ186,188が巻き付けられ、前記おくるみブランケット170に対して前記乳幼児が所定の位置にしっかりと固定される。図４に示されるように、前記内部ストラップ186,188は、乳幼児の腕が内部ストラップに固定されず自由な状態で、胴体に巻き付くように構成される場合がある。前記内部ストラップは、前記おくるみブランケット内での前記乳幼児の適切な安定性を確保し、巻き付いた前記おくるみブランケット内に前記乳幼児がずり落ちることがないようにする。前記頭支え180と組み合わせされるとき、かかる要素は全て、前記おくるみブランケット内の望ましい位置に乳幼児を配置するのに役立つ。図示された実施態様では、２本の内部ストラップ186及び188があり、該２本の内部ストラップ186及び188はそれぞれ乳幼児の胴体に巻き付く。左ストラップ186の手前側は（図３に示される）第１のストラップ留め具190を含み、右ストラップ188の裏側は第２のストラップ留め具を含む。対応する第１の留め具と第２の留め具とは、面ファスナーで形成される場合がある。また、乳幼児の安全性を強化させるために、左及び右内部ストラップ186及び188に加え、前記おくるみブランケット170は内部肩ストラップを含む場合がある。図示される他の実施態様では、１本の内部ストラップが含まれる場合がある。前記１本の内部ストラップは、前記乳幼児の片側から延出する場合があり、乳幼児に巻き付き、該乳幼児の反対側の前記ブランケットの表面172に取り付けられる。内部ストラップ又は２本の内部ストラップ186及び188の取り付け側は、例えば、縫合される場合がある。
【００１９】
図３に示されるように、他の留め具204が前記ポケット182の下端部206に設けられる場合がある。留め具204は、前記おくるみブランケットの前記下部178を折り畳むために用いられる場合がある。これにより、前記下部178は、乳幼児の下肢に適合するよう調節されることができる。１の実施態様では、留め具204は面ファスナーの一片である場合がある。前記ポケット182の上部は、対応する面ファスナー材の布片208を含む場合がある。よって、図５に示されるように、前記ブランケットの下部178が折り畳まれ、前記留め具204が前記布片208に係着される場合がある。留め具204は面ファスナーに限定されず、他の形状を有する場合がある。例えば、前記留め具204はボタン穴を含み、前記ポケット182の上部には一列のボタンを含む場合がある。これにより、前記ポケット182は種々の異なる高さに折り畳まれ、前記ボタン穴204をいずれかのボタンに係止することができる。
【００２０】
図４及び５は、前記おくるみブランケット170の中央部分196から延出する該ブランケットの両方の側部が、翼の型192及び194に成形された図である。図６に示されるように、前記両側部192及び194の真下で１本の前記内部ストラップ又は２本の内部ストラップ186,188が固定された状態で、前記両側部192及び194が乳幼児を包み込むように構成される。第１の側部が第１の方向に乳幼児をくるみ、もう一方の側部が第２の方向に該乳幼児と、該第１の側部とをくるむ。この結果、乳幼児の手足がすべて前記ブランケット内部に包み込まれるように、該乳幼児が前記おくるみブランケット170内にしっかりと包被される場合がある。前記両側部192,194は、留め具198で、前記乳幼児の周囲の所定の位置に固定される場合がある。図示された実施態様では、前記留め具198は、前記おくるみブランケット170の右側部194の端から延出するつまみの形状の場合がある。図４に示されるように、前記留め具198は、例えば、面ファスナーなどの１組の留め具200の一部を含む場合がある。前記おくるみブランケットの裏面174は、１組の留め具202の対応する部分を含む場合がある。前記おくるみブランケットの裏面にある前記１組の留め具部分202は、つまみ上の前記１組の留め具部分200よりも十分に大きい場合があり、これにより、前記おくるみブランケットの締め付けを調節しやすくすることができる。
【００２１】
また、図７に示されるように、前記おくるみブランケット170は、該おくるみブランケットの背面部174に隣接する区画208を含み、パッド210を固定するように構成される場合がある。前記パッド210は乳幼児にとってクッションとなり、前記おくるみブランケット170が寝床面上で使用されるか、又は、該おくるみブランケット自体が寝床面として機能するときに、更に快適さが増す場合がある。前記パッド210は、枠を外に出さない柔らかいスタッフィングを含むか、又は発泡材料で形成される場合がある。前記パッド210が前記おくるみブランケット170から着脱できるように、前記区画208は一端が開口する場合がある。１の実施態様では、前記パッド210は、支持構造物を必要とせずに乳幼児を支持することができるように、片側に固定される場合がある。有利には、前記パッドは、涙滴型を有する場合がある。前記涙滴型は、前記パッド210及びおくるみブランケット170が便利に介護者の腕及び腰の間に支持されることを可能にする。他の実施態様では、前記パッドは温度制御装置を含む場合がある。例えば、前記パッドは過熱パッド又は冷却パッドである場合がある。前記パッドが過熱パッドであるとき、該パッド内に電熱装置を含む場合がある。また、前記パッドは、長時間にわたり所望の温度を保持する高熱容量を有するゲルなどの流体が充填される場合がある。同様に、前記パッドは、混合するか、又は空気に暴露されると、化学反応の結果として、過熱又は冷却する物質を含む場合がある。また、前記パッド204は、防水性であるか、吸水性である場合がある。
【００２２】
前記おくるみブランケット170は、該おくるみブランケットの背面部174に隣接する１個又は２個以上の取り付けストラップ212,214を含む場合がある。以下に記載するように、前記取り付けストラップ212,214は、前記おくるみブランケット170をマットレス取り付け具に取り付けるように構成される。前記取り付けストラップ212,214の図示された実施態様では、前記おくるみブランケット170の中央部分にそれぞれ固定された２枚の別個の布地として示される。前記取り付けストラップ212,214はそれぞれ、第１の嵌合留め具216を含む。前記第１の嵌合留め具216は、前記ブランケット170を前記マットレス取り付け具上の対応する第２の嵌合留め具224に固定するために提供される。有利には、前記ブランケットは、前記取り付けストラップ212,214の各々に隣接する第２の嵌合部材である取り付けストラップホルダー218を含む場合がある。よって、図８に示されるように、前記第１の嵌合留め具216及び前記ストラップホルダー218の対応する第２の嵌合部材を用いて、前記取り付けストラップ212,214を前記ブランケットに固定したまま保持する場合がある。前記嵌合留め具は、上述の嵌合留め具のいずれかの形状をとる場合がある。好ましい実施態様では、前記第１及び第２の嵌合留め具は、それぞれ面ファスナーの留め具である。
【００２３】
上述のように、前記おくるみブランケット170の前記取り付けストラップ212,214は、該おくるみブランケットをマットレス取り付け具222に取り付けるように構成される。よって、前記マットレス取り付け具222は、前記おくるみブランケットの第１の嵌合留め具212,214を受け、該留め具に結合するように構成される少なくとも１個の第２の嵌合留め具224を含む。前記マットレス取り付け具は、マットレスとの併用のみに限定されず、新生児用かご型ベッド又は幼児用ベビーベッドのマットレスなどの任意の寝床面と共に併用され、構成される場合があることに注意されたい。
【００２４】
図９は、巻き付けられた側部192,194の外側に自由に乳幼児を置くことを可能にする前記おくるみブランケット170の形状を示す。図４に示されるように、前記翼の型192及び194は、前記中央部分196の頭部部分193と別個の材料部分から形成される場合がある。よって、前記頭部部分193は、図７の背部からもっとも明確にわかる２個のつまみ部分195を有する場合がある。図４に示されるように、各翼型側面192及び194の位置は対応する前記つまみ195と重なり合い、それらの間に溝197を形成させる。前記溝を閉じておくために、留め具199が前記つまみ195及び前記側面192又は194の溝付近に含まれる。よって、乳幼児の腕が前記おくるみブランケット内に保持されるときは、図６に示されるように、前記留め具は留めた状態で、前記翼型両側面192及び194と、前記つまみ195とが乳幼児を包み込む。しかし、乳幼児の腕を前記おくるみブランケットの外側に配置することが好ましいときは、図９に示されるように、前記留め具199は開放され、乳幼児の腕は前記溝197の間に配置される。これにより、年長児が、腕の動きを自由にした状態で、前記おくるみブランケット内で快適な状態でいることが可能となる。例えば、前記留め具197は、スナップとして形成される場合がある。
【００２５】
また、前記おくるみブランケット170に加え、本発明は、マットレス取り付け具222を用いて寝床面に乳幼児を固定するためのシステムを提供する。前記マットレス取り付け具222は、乳幼児を包み込むように構成された任意の複数の異なる寝具設備と併用される場合がある。例えば、前記マットレス取り付け具222は、図１０−１４に示されるように、前記おくるみブランケット170と併用されるか、又は以下に記載する他のブランケット及び寝袋と併用される場合がある。特に、かかるシステムの実施態様では、前記マットレス取り付け具222は、内部ストラップ186及び188を含む任意の複数の寝具設備と併用される。このことにより、前記マットレス取り付け具222を用いて、乳幼児を前記マットレスに固定することが可能となり、前記内部ストラップ186及び188により寝具設備内に乳幼児を固定することを補助する。
【００２６】
本発明によるマットレス取り付け具222の１の実施態様は、図１０及び１１に示される。かかる実施態様では、前記マットレス取り付け具222は、該マットレス取り付け具222上に直接配置される第２の嵌合ファスナー224を備えた長方形のマットレス取り付けシーツ226を含む。前記長方形のマットレス取り付けシーツ226は、図１０に、マットレス又は新生児用かご型ベッドを包みように斜視図で示される。前記長方形のシーツ226は第１端部228と、第２端部230とを有し、該端部は、それぞれ、前記端部から延出する２本のストラップ232を有する。前記シーツストラップ232は、共に寝床面に固定されるように構成される。示される実施態様では、前記シーツストラップ232は、留め金を用いて取り付けられる。また、前記２本のシーツストラップ232を共に固定するために、他の方法が併用される場合がある。前記マットレス取り付けシーツ226は長方形のシーツとして示されるが、他のシーツの形状は、前記カバー52、長方形のシーツ62及び82、後述するボックスシーツ14なども可能である。
【００２７】
前記マットレス取り付けシーツ226は、端部228及び230の両方の近傍に実質的に透明な部分234を含む場合がある。前記実質的に透明な部分234は、透明なプラスチック又はネットか、メッシュ素材から形成される場合がある。前記実質的に透明な部分234は、前記マットレス取り付けシーツ226を通して、前記マットレス又は新生児用かご型ベッドの両側部を視認可能にする。
【００２８】
使用時の前記マットレス取り付け具222が、図１１に示される。示されるように、前記おくるみブランケットは、第２の嵌合留め具224に取り付けられた左及び右の取り付けストラップ212,214を用いて、前記マットレス取り付けシーツ226上に載置される。乳幼児を不快にしないように、前記取り付けストラップ212,214は乳幼児から距離を置いて外側に延出する。乳幼児を前記取り付けストラップの上に直接載置することを防ぐことにより、乳幼児に更なる快適さを提供する。
【００２９】
前記マットレス取り付け具222の他の実施態様は、図１２−１４に示される。かかる実施態様では、前記マットレス取り付け具は、マットレス取り付けシーツ226と、中間シーツ236との両方を含む。前記中間シーツ236は、図１２に示される。前記中間シーツ236は、第２の嵌合留め具224を含み、取り付けストラップ212,214の第１の嵌合留め具214と共に機能する。また、前記前記中間シーツ226は、図１３及び１４に示されるように、前記マットレス取り付けシーツ226の表面上の各第３の嵌合留め具240に前記中間シーツ236を結合させるために、該中間シーツ236の底部に第４の嵌合留め具238を含む。前記第３及び第４の嵌合留め具は、面ファスナーとして示される。しかし、前記第３及び第４の嵌合留め具は、プラグ及びソケットか、ボタン及びボタン穴か、上述のその他の一対の嵌合留め具かを含む場合がある。その他の実施態様では、前記第４の嵌合留め具が前記中間シーツ236の上面に含まれる場合があり、該中間シーツ236の一部に折り重なる取り付け折り込み部が前記マットレス取り付けシーツ226に含まれる場合がある。その他の実施態様では、前記中間シーツは、パッド204に関して先に記載したような温度制御装置を含む場合がある。例えば、前記中間シーツは、高熱容量の材料又は化学反応の結果、温度が変化する材料を含むことにより、加熱又は冷却される場合がある。さらに、前記中間シーツは、内部に電熱装置を含む場合がある。また、前記中間シーツは、尿により寝床面が損傷することを防ぐために、防水性である場合がある。また、前記中間シーツは、乳幼児に更なる快適性を提供するために、吸水性である場合がある。
【００３０】
図１５は、図１４に示される前記マットレス取り付け具222と共に使用した状態の異なる寝具設備、すなわち、寝袋240を示す。前記寝袋240は、織物材料からなる本体を含む点で、前記おくるみブランケット170と類似している。しかし、以下に記載するように、前記寝袋240は前記おくるみブランケット170より運動の自由度が高い。寝袋240は、該寝袋に挿入しやすくなるように、正面にジッパー242を含む場合がある。１の実施態様では、前記ジッパーは、ナイロン製である場合がある。また、前記寝袋240は、袖ぐり244を含む。乳幼児の腕が前記袖ぐり244を通すことに制限されず自由に位置するだけでなく、前記寝袋240自体は前記おくるみブランケット170ほど拘束するものではない。しかし、乳幼児を前記寝袋240にしっかりと固定できるように、該寝袋240は内部ストラップ186及び188を含む場合がある。前記内部ストラップ186及び188を視認可能にするために前記寝袋240の正面部分の断面を有する図１６に示されるように、前記内部ストラップ186及び188は前記寝袋240内に配置される。前記内部ストラップ186及び188を含む種々の寝具設備に関連して使用される前記マットレス取り付け具222の組み合せは、乳幼児が成長するにつれて、該乳幼児の運動の自由度の進展を可能にさせるシステムを提供する。乳幼児が産まれて間もないうちは、まず該乳幼児の腕を前記おくるみブランケット170の内部に固定した形態で、その後、腕が自由になる形態で、前記おくるみブランケット170が使用される場合がある。乳幼児が成長するにつれ、前記マットレス取り付け具222は使用したままで、前記おくるみプランケットに代わって前記寝袋240が使用される場合がある。よって、種々の寝具設備170及び240は、乳幼児の要求に対応して変化することが可能な適応性のあるシステムを提供する。
【００３１】
本発明の他の実施態様は、図１７に示されるようなベビーベッド用安全シーツ及びブランケット10複合体である。また、かかる実施態様は、ベビーベッド、新生児用かご型ベッド又はこれらに類するものの内部で、マットレス上に設置される。前記複合体は、正面及び裏面を有するブランケット部分12（ブランケット）を有する。前記ブランケットは、ボックスシーツ部分14に取り付けられる。図示される実施態様の前記ブランケット12は、乳幼児をくるむか、巻き付く場合がある前記ブランケットの左右中間部を画定する、前記ブランケット部分12の長手方向の中心線に沿って縫い合わせることにより、前記ボックスシーツ14の表面の中央部で縫着される。使用時は、乳幼児を暖かく保ち、該乳幼児の背中又は側面を安全シーツ及びブランケット10の中央にしっかりと配置するために、（片側が反対側と重複した状態で）前記ブランケット12は乳幼児の胴体及び下肢を包み込む。前記ブランケット12は、（後述する）面ファスナーの４個の嵌合片を用いて、乳幼児の周囲の位置で固定される。
【００３２】
かかる実施態様の安全シーツ及びブランケットに固定されると、前記乳幼児の腕部及び頭部の十分な可動性と、多少の横移動とは保たれるが、完全に寝返りをうつこと又はブランケット12から乳幼児が抜け出ることはできない。また、前記腕部は、前記ブランケット内に固定される場合がある。このように乳幼児を固定することにより、通常、乳幼児の腹臥位での睡眠に関連する乳幼児突然死症候群の可能性が低減する。窒息するような緩い寝具類がなく、乳幼児が就寝中にブランケットを蹴ることができないので、冷えることがない。
【００３３】
図１８は、ブランケット12がシーツ14に対して平らに載せられ、該ブランケット12の裏面を該シーツ14の表面と接触させた状態のマットレスを包む安全シーツ及びブランケットの平面図である。前記ブランケット12を前記シーツ14に固定する縫い目20が、この図面で視認される。前記ブランケット12の表面に縫い付けられた面ファスナー16a,16bが、該ブランケット12の裏面に縫い付けられた対応する面ファスナー18a,18bに着脱自在に取り付けられる。図１８は２組の嵌合面ファスナー（16a及び18a、16b及び18b）を示すが、より確実に固定したいときは、更なる留め具ストラップが取り付けられ、使用される場合がある。また、図１８は、前記マットレス24にボックスシーツ14の端を平坦に固定するための（後述の）該マットレスの下に巻き付く３個のゴムストラップ22a-22cを示す。
【００３４】
図１８に示される前記ブランケットは、該ブランケットの側部を折り畳み、ブランケットの全幅を減少させることにより、より小さな乳幼児に適合させる場合がある。好ましくは、前記ブランケットの右側が、該ブランケットの表面の方向に折り畳まれ、ブランケット上に設けられたスナップ留め具13で固定される場合がある。前記ブランケットの左側は、好ましくは、該ブランケットの裏面の方向に折り畳まれ、ブランケット上に設けられたスナップ留め具15で固定される場合がある。
【００３５】
図１９は、マットレス24を包被する安全シーツ及びブランケット10の底面図である。前記底面図は、マットレス24の足側及び頭側にボックスシーツを固定する該ボックスシーツ14に示される２個のポケット26a,26bを示す。ゴムバンド28は、前記２個のポケット26a,26bをマットレスの周囲に確実に包被させておく機能を果たす。３個のゴムストラップ22a,22b及び22cは、前記ボックスシーツ14の側端を前記マットレスに固定した状態に保持する。前記シーツ14は、該シーツの側部に沿って分散された数個の布補強ハトメ23を有する場合がある。かかるハトメ23は、例えば旅行時など、幼児用ベビーベッドが使用できないときにベビーベッド用安全シーツ及びブランケット10を用いることができるように、大きなベッドの枠にベビーベッド用シーツ及びブランケット複合体を固定する際に、バンジー用ロープ又は他の適当な保持装置用の固定点として機能する場合がある。
【００３６】
図２０は、図１７の安全シーツ及びブランケット10の底面斜視図である。前記ゴムストラップ22a-22cは前記ボックスシーツ14の一側部に着脱自在に取り付けられ、各ストラップ22a-22cに対する面ファスナー締結材の一帯片30a-30cは該ボックスシーツ14に縫着され、（レリーフで示される）面ファスナー締結材の係合帯片32a-32cは該ゴムストラップ22a-22cに縫着される。
【００３７】
図２１は、睡眠時に更に物理的支持体を必要とする乳幼児のために使用される前記安全シーツ及びブランケットの実施形態50を示す。かかる実施形態及び以下の全ての実施形態は第１の実施形態と同様であり、同じ参照番号は同じ構成要素を表す。前記安全ブランケット／シーツ複合体の第２の実施形態は、前記第１のブランケット12に取り付けられた上面と底面とを有する第２のブランケット40を有する。図示するために、かかる図面では、前記第１のブランケット12はより大きく示される。１本の横方向の縫い目42は２枚のブランケットの上部を縫着し、４本の縦方向の縫い目44a-44dは２枚のブランケットの端及び中心を縫着する。また、前記４本の縦方向の縫い目44a-44dは、前記ブランケットを３個の縦方向の鞘46a-46cに分割する。前記鞘46a-46cの底部は、前記第２のブランケット40の底面及び前記第１のブランケット12の上面に位置するスナップ留め具48を用いて閉じられる場合がある。前記スナップ留め具の代わりに、面ファスナー締結材、ジッパー及び当業者に公知のその他の締結具が使用される場合がある。前記面ファスナー締結材16a,16bのいくつかは、かかる実施形態では、第１の実施形態における前記第１のブランケット12の上面の該面ファスナー締結材の位置から、前記第２のブランケット40の上面に移動された。
【００３８】
前記ベビーベッド用安全シーツ及びブランケット複合体の他の実施形態は、エッグクレート緩衝材（卵のこん包用仕切り箱の形状をした緩衝材）又は気泡型材料などの支持材料を前記鞘46a,46b,46c内に挿入する場合があることを除き、前記第１の実施形態と同一の方法で使用される。また、温パック及び冷却パックなどの温度調節材料が前記鞘46a,46b,46c内に挿入される場合がある。前記鞘の底部に位置するスナップ留め具48を用いることで、該鞘の内部に前記支持材料が固定される。
【００３９】
前記ベビーベッド用安全シーツ及びブランケットのさらなる実施形態について記載する。かかる実施形態は、前記ボックスシーツの変形を含む。かかる実施形態は、図１７−２０に記載された前記ブランケット12又は図２１に記載された２重ブランケット12,40のデザインのいずれかを使用する場合がある。前記シーツの変形、及び、明確にするために、かかる変更されたシーツと前記第１のブランケット12のみとの併用について以下に記載する。
【００４０】
図２２に示されるように、本発明の他の実施形態50は、第１の実施形態の前記ボックスシーツを布袋52又は一般的に拡大された枕ケースに類似したケースで置き換える。前記袋52は上面、底面及び少なくとも１個の開口部51を有し、該上面は該袋52の一体部分としてのシーツにより形成される。新生児用かご型ベッドパッド又は小さなマットレスなどの寝具材は、通常、前記少なくとも１個の開口部51から前記布袋52内に挿入される。前記ブランケット12が前記ボックスシーツ14に装着されるのと同じ方法で、該ブランケット12は前記布袋52の上面に縫着される。他の全ての点に関して、前記ブランケット12は第１の実施形態と同一であり、これ以上は記載しない。前記布袋52は該布袋の一端に前記開口部51を有するように示されているが、前記開口部51が側部に沿って、又は、（例えば、カバーなど）底部を横断して広がることは本発明の範囲内である。かかる実施形態では、前記寝具材の大部分は、前記布袋52によって包被されている。
【００４１】
本発明の他の実施形態60が図２３に示される。かかる実施形態60は、第１の実施形態の前記ボックスシーツ14に代えて、長方形のシーツ状の材料62が使用される。前記シーツ62は、表面64、裏面66、上縁、下縁、左縁68及び右縁70を有する。面ファスナー材72などの締結具が前記右縁70及び左縁68の両方に配置される。また、前記面ファスナー材の代わりに、スナップ留め具又は任意の他の適当な締結具が使用される場合がある。さらに、前記シーツ62はその表面64と裏面66との間に画定される複数の開口部78を有する。前記開口部78は、前記右縁70及び左縁68に近接して、かつそれらと平行に配置されることが好ましい。しかし、前記シーツの両縁68及び70近傍の前記開口部78の配置は本発明の重要な局面ではなく、該開口部78は後述するようにより中央に配置される場合がある。第３の実施形態の場合と同様に、前記ブランケット12は、該ブランケット12がボックスシーツ14に取り付けられるのと同じ方法で前記表面64に縫着され、他の全ての点が第１の実施形態のブランケット12と同一であり、これ以上は説明しない。
【００４２】
実施態様60は、図２４に示されるように、普通サイズの大人用マットレスに使用される場合がある。シーツ62は裏面66を下向きにマットレスの上面に向けて配置される。前記シーツ62を前記マットレスに固定するために、調節可能なストラップ80が前記開口部78に通され、ベッド枠の柱又は附属の手すりに通される。布補強開口部から金属又はプラスチック補強リングに及ぶ広範囲の適当な開口部78を設計することは、十分に当業者の能力の範囲内である。しかし、本発明を後述するようにベビーベッドパッド又は新生児用かご型ベッドで使用する場合、固い材料や不快な材料を含む開口部は乳幼児が不快にならないように、中央寄りに配置すべきであることに注意されたい。
【００４３】
また、実施形態60は、図２５及び２６に示されるように、ベビーベッドマットレスなどのより小型の寝具材に使用される場合がある。かかるより小型の適用例では、前記シーツ62は、該シーツ62の裏面66がマットレスと接触する状態で、該マットレスの頭と足とのほぼ中間で、該マットレスに完全に巻き付けられる。前記シーツの左縁68及び右縁70は、上述の面ファスナー材72を用いて互いに固定される。
【００４４】
また、実施形態60は新生児用かご型ベッドパッドなどのさらに小型の寝具材にも使用される場合がある。まず、シーツの左縁68及び右縁70が、先に詳述したように、ただし介在するマットレス無しで、互いに係着される。その後、厚さが二重のシーツ62が新生児用かご型ベッドパッド又はその類似物の周囲に巻き付けられる。次いで、前記シーツ62は、留め具77-79を連結することによって適当な位置に固定される。
【００４５】
図２７及び２８に示されるように、本発明の実施形態80は第１の実施形態の前記ブランケット12を使用するが、上述の実施形態の前記ボックスシーツ14に代えて略長方形のシーツ82を使用する。前記シーツ82は表面、裏面及び２つの対向端を有する。各対向端に隣接して面ファスナー材84の複数の部分が配置される。
【００４６】
幾つかのストラップ88は、前記シーツ82に取り付けられた一端を有し、マットレス又はベビーベッドの枠の下に巻き付けられ、前記シーツ82上の前述の面ファスナー材84に着脱自在に取り付け可能な面ファスナー材の対応する部分86を備えた第２端を有する。面ファスナー材がストラップ取り付けの好適な方法であるが、ボタン、スナップ及びバックルを含むが、これらに限定されない、任意の適当な方法が使用される場合がある。前記ストラップ88自体が弾性を有することが好ましいが、任意の適当なストラップが使用される場合がある。各ストラップ88はスペーサ90に取り付けられるか、又は該スペーサ90の中を通る。前記スペーサ90は平坦な略長方形のシートであり、ストラップを保持し、ストラップ88が適切に配置されかつ方向付けられた状態に維持するのに役立つ。使用時に、前記スペーサはマットレスの下に配置される。また、第５の実施形態80は、２組の対応する留め具91,92を有する。留め具91は対向する留め具92に取り付けられ、そうすることで、シーツ82の外形寸法を低減し、それによってより小さいサイズの寝装具用の装置を作成するように設計される。
【００４７】
本発明の実施形態によると、（乳幼児がブランケットにくるまれるときに該乳幼児の安全を犠牲にすることなく）前記安全シーツ及びブランケットが着脱自在である場合がある。この点に関し、安全シーツ及び着脱自在なブランケットが図２９−３６Ｄに示される。前記安全シーツ及び着脱自在なブランケットは、図２９及び３０を参照すると、図１８に対応する。前記安全シーツ及び着脱自在なブランケットは、図３２及び３３を参照すると、図２２に対応する。前記安全シーツ及び着脱自在なブランケットは、図３４を参照すると、図２５に対応する。さらに、図３５−３６Ｄは、図３０及び３３に関する前記着脱自在なブランケットを示す。
【００４８】
図２９、３２及び３４を参照すると、安全シーツ及び着脱自在なブランケットが一般的に示されている。図２９に関して、前記シーツ114に着脱自在なブランケット112が設けられ、該着脱自在なブランケット112の実施形態は図１８のブランケット12と同一であるが、前記ブランケット112の底面に嵌合留め具130の第１部分が設けられ、該第１部分は該嵌合留め具の対応する第２部分122と嵌合する。かかる実施形態では、前記嵌合留め具部分130,122は、例えばブランケット112が汚れたときに、該ブランケットを洗濯のために取り外すことを可能にするなどの利便的な要素をブランケット112に提供するものである。前記嵌合留め具部分130,122は、例えば、面ファスナー型留め具（すなわち、ベルクロ（登録商標））などである。
【００４９】
前記留め具部分130,122はＬ字型として示されているが、留め具に他の変形を加えることは本発明の範囲内である。図２９に示されるように、（仮想線の）留め具130',122'は、前記着脱自在なブランケット112の底面及び前記シーツ14の上部にそれぞれ取り付けられる１対の細長いストラップを有する変形を示す。前記留め具130,122（130',122'）の嵌合部分が特定の形態で示されているが、前記留め具（130,122（130',122'））の任意の配列及び任意の位置は、乳幼児が前記ブランケット112上で快適に休むことができ、（図１７に示されるように）乳幼児を仰臥位の状態で保持するために前記ブランケット112内にくるまれることができるようにするために機能することが理解される。加えて、留め具113,115は、図１８の前記留め具13,15と同一の機能を提供する。
【００５０】
図２２と同様に図３２では、カバー52が、寝床面に対して、上面及び底面を有するように示される。前記上面及び底面は、開口部51が画定されるように、前記周囲の周りに組み合わされる。図２２に関して上述のように、前記カバー52は前記寝床面を包被する。図２９に関して上述のように、前記着脱自在なブランケット12は嵌合留め具130,122（130',122’）を介して前記カバー52の上面に着脱自在に取り付けられる。袋52は該袋の一端に前記開口部51を有するように示されているが、前記開口部51が側部に沿って、又は、（例えば、カバーなど）底部を横断して広がることは十分に本発明の範囲内である。かかる実施形態では、前記寝具材の大部分は、前記袋52によって包被されている。
【００５１】
図２５と同様に、対応する要素を有する図３４を参照すると、上面64を有するフラットシーツ62が示されている。前記上面64には、前記着脱自在なブランケット112の底面の嵌合留め具部分130（130'）と嵌合する前記留め具部分122（122'）が設けられる。上述のように、図２９及び図３２に関して、前記嵌合留め具130,122（130',122'）は典型的には、面ファスナー型留め具（すなわち、ベルクロ（登録商標））であるが、乳幼児が前記着脱自在なブランケット112に包被され、固定されるときに、該乳幼児の快適さが妨げられない限り任意のその他の適当な留め具が使用可能である。
【００５２】
図３０及び３１Ａ、３１Ｂ及び３３を参照すると、着脱自在な安全ブランケットを提供するための本発明の別の変形が示される。かかる図面では、上記の図１３、１６及び１８の場合のように、対応する共通の要素は、同一の参照番号を有する。
【００５３】
図１４は、着脱自在なブランケット126の底部に取り外しできないように固定される別のシーツ材128を有する図２９に示される着脱自在なブラケット126を示す。図３１Ａ及び３１Ｂは、本発明のかかる局面をより明確に図示するための図３２の分解立面図である。前記着脱自在なブランケット126は、縫い目120によって、前記シーツ材128に取り付けて示される。縫い目120は、図１８の前記縫い目20と同一である。前記縫い目120は前記ブランケット126の中心線に沿って示されているが、乳幼児に前記ブランケット126を巻き付けて固定することが可能となるような任意の方法で、前記縫い目が配置される場合があることが理解される。前記シーツ材128は任意の種類の織物が選択され、該シーツ上に設けられた留め具130を有する。前記着脱自在なブランケット126をできる限り多用途にすることが望ましい。そのように、前記留め具部分130が前記シーツ材128の周囲、かつ該シーツ表面の上部表面及び下部表面の両方に配置される。
【００５４】
シーツ14は、同様に、前記シーツ材128と鏡像の形で、該シーツ上に設けられた嵌合留め具部分122を有する。また、前記留め具部分122は、同様に、前記シーツ14の上部表面及び下部表面の両方に配置される。さらに、シーツには、スリットなどの開口部124が設けられる。前記開口部124を通して前記シーツ材128を移動させることが可能となる。このようにして、前記シーツ上部表面の前記留め具部分130は、前記シーツ14の下部表面の対応する留め具部分122と係合する場合がある（図３１Ｂを参照せよ）。前記シーツ14は任意の伸縮性のある外周136を含むことにより、より一般的なボックスシーツの型となる。前記伸縮性のある外周136を省略することにより、前記シーツ14は標準的なフラットシーツ型となる。また、下部表面の前記留め具部分122は、フラット型及びボックス型の両方の型で、（図示されていない）寝床面上での前記シーツの回復を可能にする。
【００５５】
図２９に示されるように、前記嵌合留め具部分130,122の配置は図３０に示される配置に限定されないが、任意の適当な配置は十分に本発明の範囲内である。また、嵌合留め具部分130',122'は、延出されたストラップと同様に図示される。前記留め具部分122'と留め具部分130’の鏡像は、前記留め具部分130,122に対するものと同一である。前記嵌合留め具部分130,122（130’,122’）は、好ましくは、面ファスナー留め具（すなわち、ベルクロ（登録商標））であるが、前記嵌合留め具部分の配置が前記ブランケット112にくるまれた乳幼児に不快さを引き起こさない限り、任意の適当な留め具がこの配置で使用可能である。
【００５６】
図３３は、図２２のシーツ52の構造と、図３０の着脱自在なブランケット114の構造との組み合わせである。先に図３２に示したように、寝床面としてのシーツ、袋又はカバー52は、上面及び底面を有するように示される。前記上面及び底面は、開口端51を画定するように、周囲を囲んで組み合わされる。前記カバー52は、図２２に関して、上述のように、前記寝床面を包被する。前記カバー52は、該カバーの上面に前記開口部124を含む。前記カバー52は該カバーの一端に前記開口部51を有するように示されるが、前記開口部51が側部に沿って、又は、（例えば、カバーなどの）底部を横断して広がることは本発明の範囲内である。かかる実施形態では、前記寝具材の大部分は、前記カバー52によって包被されている。
【００５７】
前記着脱自在なブランケット126は、縫い目120により、前記シーツ材128に取り付けて示される。縫い目120は、図１８の前記縫い目20と同じである。前記縫い目120は前記ブランケット126の中心線に沿って示されているが、乳幼児に前記ブランケット126を巻き付けて固定することが可能となるような任意の方法で、前記縫い目が配置される場合があることが理解される。前記シーツ材128は任意の種類の織物が選択され、該シーツに設けられた留め具130を有する。前記着脱自在なブランケット126をできる限り多用途にすることが望ましい。そのように、前記留め具部分140が前記シーツ材128の周囲、かつ該シーツ表面の上部表面及び下部表面の両方に配置される。
【００５８】
シーツ52は、同様に、前記シーツ材128と鏡像の形で、該シーツ上に設けられた嵌合留め具部分142を有する。また、前記留め具部分142は、同様に、前記シーツ52の上部表面及び下部表面の両方に配置される。さらに、シーツ52には、開口部124が設けられる。前記開口部124を通して前記シーツ材128を移動させることが可能となる。このようにして、前記シーツ上部表面の前記留め具部分140は、前記シーツ52の下部表面の対応する留め具部分142と係合する場合がある（例えば、図３１Ｂを参照せよ）。
【００５９】
図３５は、図３０、３１Ａ及び３１Ｂ及び３３のいずれかの部分的拡大部であり、本発明による前記嵌合留め具の配置を示す。前記着脱自在なブランケット126は、縫い目120によりシーツ部128に取り付けられる。図３５について、前記取り付けにより、（矢印で示されるように）前記ブランケット126の少なくとも２つの側部が乳幼児の周囲に巻き付くことが可能となる。前記着脱自在な安全ブランケット126は、前記シーツ材部分128と該シーツ14,52,62との間の嵌合留め具140により、該シーツ（又は寝床面カバー）14,52,62に着脱自在に取り付けられる。前記嵌合留め具140は、上述の前記面ファスナー型留め具130,122（130',122'）か、他の任意の適当な嵌合留め具かを含む。図３６Ａ、３６Ｂ、３６Ｃ、３６Ｄは、前記着脱自在なブランケット126を前記シーツ14,52,62に固定するために好適に用いられる無数の留め具の型140のうちの幾つかの例の断面図である。
【００６０】
前記シーツ14,52,62は、上述のように、前記シーツ材128を適当な位置に置き、シーツを広げるための開口部124を含む。シーツ材128は前記留め具140の一部を有し、シーツ14,52,62はその他の部分を有する。図３６Ａは、前記留め具型140の第１の例を図示する。シーツ材128は、（例えば、糸などの）連結材146を介して、該シーツの上面又は底面に取り付けられたボタン142を有する。シーツ14,52,62は、該シーツに画定されるボタン穴144を含む。かかる実施形態では、前記シーツ材128は前記シーツ14,52,62の上部表面又は下部表面のどちらかに配置される場合があり、前記ボタン穴144にボタン142を通すことにより固定される。
【００６１】
図３６Ｂは、前記留め具型140の他の例を図示する。シーツ材128は、シーツに画定されるボタン穴144'を有する。シーツ14,52,62は、（例えば、糸などの）連結材146'を介して該シーツの上部表面及び下部表面に取り付けられたボタン142'を有する。かかる実施形態では、前記シーツ材128は、前記シーツ14,52,62の上部表面又は下部表面のどちらかに配置される場合があり、前記ボタン穴144'にボタン142'を通すことにより固定される。
【００６２】
図３６Ｃは、前記留め具型140の他の例を図示する。シーツ材128は、該シーツの上部表面及び下部表面に取り付けられたスナップ留め具150の第１の部分を有する。シーツ14,52,62は、該シーツの上部表面及び下部表面に取り付けられたスナップ留め具152の他の部分を有する。かかる実施形態では、前記シーツ材128は、前記シーツ14,52,62の上部表面又は下部表面のどちらかに配置される場合があり、前記スナップ留め具150,152の前記第１の部分に第２の部分を嵌合させることにより固定される。前記嵌合部分が前記シーツ14,52,62上に鏡像の方法で配置されない限り、図３６Ｃの前記スナップ留め具140のどちらか一方の部分が前記シーツ材128上に配置される場合があることが理解される。
【００６３】
図３６Ｄは、前記留め具型140の他の例を図示する。シーツ材128は該シーツ材に取り付けられたハトメ160を有し、該シーツ材128に補強開口部を形成する。シーツ14,52,62は、該シーツの上部表面及び下部表面に取り付けられた弾性凸部162を有する。かかる実施形態では、前記シーツ材128は、前記シーツ14,52,62の上部表面又は下部表面のどちらかに配置される場合があり、前記弾性凸部162と前記ハトメ160とを嵌合させることにより固定される。前記嵌合部分が前記シーツ14,52,62上に鏡像の方法で配置されない限り、図３６Ｄの前記留め具140の前記ハトメ160又は弾性凸部162のどちらか一方が前記シーツ材128に配置される場合があることが理解される。また、前記着脱自在なブランケット126にくるまれた乳幼児の快適さが妨げられない限り、前記着脱自在なブランケット126を前記シーツ14,52,62に固定するために、前記弾性凸部162がハトメに連結可能な任意の構造である場合があることは十分に本発明の範囲内である。
【００６４】
ボックスシーツ又はマットレス取り付けシーツ、及びブランケットの形状及び／又は大きさを、ベビーベッド、新生児用かご型ベッド、保育器及びベビーサークルなどの種々の異なる乳幼児用の寝装具に適応させるために変形することは、十分に当業者の能力の範囲内である。前記シーツ及びブランケットは、綿、ウール、ポリエステル、シルク、ライクラ（登録商標）及びナイロンを含む任意の適当な材料から製造される場合がある。同様に、前記着脱自在なブランケットを前記シーツ又は寝床面カバーに固定するための嵌合留め具の任意の他の変形は、本発明の追加される特許請求の範囲内であるとみなされる。
【００６５】
本発明は、上述した実施形態に限定されず、特許請求の範囲内の全ての実施形態を包含することを理解されたい。
【図１】
0005547275.tif 000002
【図２】
0005547275.tif 000003
【図３】
0005547275.tif 000004
【図４】
0005547275.tif 000005
【図５】
0005547275.tif 000006
【図６】
0005547275.tif 000007
【図７】
0005547275.tif 000008
【図８】
0005547275.tif 000009
【図９】
0005547275.tif 000010
【図１０】
0005547275.tif 000011
【図１１】
0005547275.tif 000012
【図１２】
0005547275.tif 000013
【図１３】
0005547275.tif 000014
【図１４】
0005547275.tif 000015
【図１５】
0005547275.tif 000016
【図１６】
0005547275.tif 000017
【図１７】
0005547275.tif 000018
【図１８】
0005547275.tif 000019
【図１９】
0005547275.tif 000020
【図２０】
0005547275.tif 000021
【図２１】
0005547275.tif 000022
【図２２】
0005547275.tif 000023
【図２３】
0005547275.tif 000024
【図２４】
0005547275.tif 000025
【図２５】
0005547275.tif 000026
【図２６】
0005547275.tif 000027
【図２７】
0005547275.tif 000028
【図２８】
0005547275.tif 000029
【図２９】
0005547275.tif 000030
【図３０】
0005547275.tif 000031
【図３１Ａ】
0005547275.tif 000032
【図３１Ｂ】
0005547275.tif 000033
【図３２】
0005547275.tif 000034
【図３３】
0005547275.tif 000035
【図３４】
0005547275.tif 000036
【図３５】
0005547275.tif 000037
【図３６Ａ】
0005547275.tif 000038
【図３６Ｂ】
0005547275.tif 000039
【図３６Ｃ】
0005547275.tif 000040
【図３６Ｄ】
0005547275.tif 000041